(57)【要約】【課題】トップバーの内部構造を単純化してローマンシエード型カーテンのコスト低減を図ると共に、昇降コードのトップバーへの付け替えを容易にし、随時洗濯してクリーンに保つことの出来るローマンシエード型カーテンを提供する。【解決手段】カーテン生地１１に昇降コード１２とその昇降コードが貫通するコードガイド１３を取り付けて成るローマンシエード型カーテンにおいて、昇降コード１２の上端部がカーテン生地１１に接合されており、昇降コード１２の下端部にストッパー１４を昇降コード１２に対して移動可能に係止する。ストッパー１４から引き出される昇降コード１２の下端部分３２には、それを巻き付ける巻取具３７を取り付け、又、カーテン生地１１の下縁部には巻取具３７や昇降コード１２を収納するポケット１５を設けるとよい。【選択図】　　　図２
2004081517.tif 000002
【特許請求の範囲】
【請求項１】
カーテン生地（１１）に昇降コード（１２）とその昇降コードが貫通するコードガイド（１３）を取り付けて成るローマンシエード型カーテンにおいて、昇降コード（１２）の上端部がカーテン生地（１１）に接合されており、昇降コード（１２）の下端部にストッパー（１４）が昇降コード（１２）に対して移動可能に係止されているローマンシエード型カーテン。
【請求項２】
前掲請求項１に記載の昇降コード（１２）の下端部がストッパー（１４）を突き抜けており、その突き抜けた昇降コード（１２）の下端部に巻取具（３７）が取り付けられている前掲請求項１に記載のローマンシエード型カーテン。
【請求項３】
前掲請求項１および請求項２に記載のカーテン生地（１１）の下縁部に昇降コード（１２）を収納するポケット（１５）が設けられている前掲請求項１および請求項２に記載のローマンシエード型カーテン。
【発明の詳細な説明】
【０００１】
【発明の属する技術分野】
本発明は、カーテン生地に、昇降コードと、その昇降コードが貫通するコードガイドを取り付けて成るローマンシエード型カーテンに関するものである。
【０００２】
【従来の技術】
ローマンシエード型カーテンのカーテン生地は、その上縁をトップバーに取り付けて吊り下げられている。昇降コードは、その下端をカーテン生地の下縁部に接合し、その下端の接合箇所の真上に位置するトップバーへと導入されており、下端の接合箇所とトップバーの間ではカーテン生地に一定の間隔をおいて取り付けられた複数個のリング状コードガイドに挿通されている。カーテン生地は、その昇降コードを操作してたくし上げ、開閉操作される。その開閉操作方式にはコード式とドラム式がある。コード式のローマンシエード型カーテンでは、トップバーに一定の間隔をおいて複数個の固定ガイドとストッパーが取り付けられており、昇降コードは、その複数個の固定ガイドとストッパーを経由してトップバーの片端から垂れ下げられており、その垂れ下がった昇降コードの下端を昇降操作して開閉する仕組みになっている。ドラム式のローマンシエード型カーテンでは、昇降コード毎に回転ドラムがトップバーに設けられており、その回転ドラムを回転し、昇降コードを巻込・巻戻して開閉する仕組みになっている。
【０００３】
【発明が解決しようとする課題】
従来のローマンシエード型カーテンでは、固定ガイド、ストッパー、回転ドラム等が設けられていてトップバーの内部機構が複雑になっており、トップバーへの昇降コードの付け外しが難しく、随時カーテン生地をトップバーから取り外して洗濯したり取り替えたりすることは出来ない。何故なら、カーテン生地が汚れているときは昇降コードも汚れており、カーテン生地を洗濯するときは、昇降コードもトップバーから取り外さなければならないからである。又、カーテン生地を洗濯するときは、昇降コードをカーテン生地から取り外さなければならなくなる。何故なら、トップバーから取り外されたカーテン生地からは、トップバーへの導入代分だけ昇降コードが長く伸び出ており、その長く伸び出ている昇降コードがカーテン生地を洗濯するとき邪魔になるからである。そして、従来のローマンシエード型カーテンは、トップバーの内部機構が複雑になっている分だけコスト高になる。
【０００４】
【発明の目的】
そこで本発明は、トップバーの内部構造を単純化してローマンシエード型カーテンのコスト低減を図ると共に、昇降コードのトップバーへの付け替えを容易にし、随時洗濯してクリーンに保つことの出来るローマンシエード型カーテンを提供することを目的とする。
【０００５】
【課題を解決するための手段】
本発明に係るローマンシエード型カーテンは、昇降コード１２の上端部がカーテン生地１１に接合されており、昇降コード１２の下端部にストッパー１４が昇降コード１２に対し移動可能に係止されていることを第１の特徴とする。
【０００６】
本発明に係るローマンシエード型カーテンの第２の特徴は、上記第１の特徴に加えて、昇降コード１２の下端部がストッパー１４を突き抜けており、その突き抜けた昇降コード１２の下端部に巻取具３７が取り付けられている点にある。
【０００７】
本発明に係るローマンシエード型カーテンの第３の特徴は、上記第１および第２の特徴に加えて、カーテン生地１１の下縁部に昇降コード１２を収納するポケット１５が設けられている点にある。
【０００８】
【発明の実施の形態】
図１と図２は、本発明に係るローマンシエード型カーテンのコードガイド１３と昇降コード１２が取り付けられている裏面側を図示するものである。カーテン生地の上縁部１６には、面ファスナー、フック、クリップ等の治具が取り付けられており、それらの治具を介してカーテン生地１１がトップバー３３に着脱自在に取り付けられている。コードガイド１３は、リング状を成し、水平方向（幅方向）に一定間隔Ｋをおいてカーテン生地１１に縦長に取り付けた複数条のテープ１７に複数個突設されており、各テープ１７の垂直方向（高さ方向）に一定間隔をおいて一直線上に並んでいる。昇降コード１２は、テープ１７の上端の位置に合わせてカーテン生地１１にその上端が縫合され、一直線上に並んでいる複数個のコードガイド１３に挿通されている。最下端のコードガイド１３から突き出された昇降コード１２の下端部には、ストッパー１４が昇降コード１２の長さ方向に移動可能に係止されている。
【０００９】
図３〜図５は、ストッパー１４の具体例を図示するものであり、それぞれストッパーの正面図（ａ）と断面図（ｂ）を対応させて図示している。図３に示すストッパー１４は、球形本体１９に昇降コード１２が通る貫通孔２０とその貫通孔２０に交わる円筒形の窪みを設け、その窪みにバネ２２と円柱形摺動片２１を嵌め込み、球形本体の貫通孔２０に向き合う貫通孔２３を摺動片２１に設けて構成されている。このストッパー１４では、窪みから押し出す方向に作用するバネ２２に対抗して摺動片２１を窪みに押し込むと、球形本体の貫通孔２０と摺動片の貫通孔２３が重なり合って連続した貫通孔となり、その連続した貫通孔に対して昇降コード１２が挿通自在になる。一方、摺動片２１を窪みに押し込む力を解除すると、摺動片２１が窪みからバネ２２によって押し出される方向に移動し、球形本体の貫通孔２０と摺動片の貫通孔２３の間で昇降コード１２が把持され、その結果、ストッパー１４が昇降コード１２に係止されることになる。
【００１０】
図４に示すストッパー１４は、『く』字型を成す一対のクリップ片２４とクリップ片２４を、それらの一端同士３４（３４）が突き合い、それらの他端同士３５（３５）が離れ合い、それらの中間部同士３６（３６）がテコの支点を成すように突き合わせ、そのテコの支点を成す中間部３６（３６）を囲撓するリング状に弯曲したバネ２５によって突き合う一端同士を圧着させて構成され、概して干し物挟みに似た形状を成している。それらのクリップ片２４の突き合う先端部分３４から中間部３６に至る部分には、互いに向き合う溝２６（２６）が付けられている。それら溝２６（２６）は向き合って突き合う先端部分３４から中間部３６に至る挿通孔２７を形成しており、その挿通孔２７に昇降コード１２が挿通されている。その離れ合っている他端同士３５（３５）をバネ２５に対抗して把持するとき、突き合っている一端同士３４（３４）が離れ、挿通孔２７が開かれ、その挿通孔２７に対して昇降コード１２が挿通自在になる。挿通孔２７がバネ２５に付勢されて閉じ合わされると、ストッパー１４が昇降コード１２に係止されることになる。
【００１１】
図５に示すストッパー１４は、弾性板材２８に２筋の長孔２９・２９を平行に設けて構成されている。このストッパー１４では、それらの長孔２９・２９に挟まれた仕切り３０を迂回させて、それらの長孔２９・２９に昇降コード１２を挿通すると、その迂回している仕切り３０からの摩擦抵抗を受けて昇降コード１２がストッパー１４に係止されることになる。一方、長孔２９の長さ方向に弾性板材２８を挟圧すると、仕切り３０が隆起して長孔２９が広がり、長孔２９に対して昇降コード１２が挿通自在になる。図５において、３１は、長孔２９の長さ方向に昇降コード１２がズレ動くのを防ぐためのガイド孔である。
【００１２】
本発明のローマンシエード型カーテンでは、ストッパー１４を昇降コード１２の下端側から上端側へと移動させると、最下端のコードガイド１３がストッパー１４に当たって押し上げられ、その最下端のコードガイド１３が押し上げられた分だけカーテン生地１１の下縁部が押し上げられ、その結果、従来のローマンシエード型カーテンの昇降コードを吊り上げた場合と同じように、カーテン生地１１の下縁部がたくし上げられることになる。ストッパー１４は、このたくし上げられたカーテン生地１１の下縁部が擦れ落ちないようにするもの、言うなれば、最下端のコードガイド１３が擦れ落ちないようにするものであり、最下端のコードガイド１３を通過せず最下端のコードガイド１３に引っ掛かる程度の大きさ（寸法）と、昇降コード１２の長さ方向に移動可能に係止する形状や構造のものであればよく、その限りにおいて、ストッパー１４の形状や構造は格別限定されず、昇降コード１２に着脱自在に係止される形状や構造になっているものであればよい。従って、ストッパー１４は、図３〜図５に図示するものに限定されず、昇降コード１２に挟み付けることが出来るゼムクリップ（ゼムピン）その他の事務用クリップや干し物挟み等もストッパー１４に利用することが出来る。
【００１３】
隣合うテープとテープの間のカーテン生地の生地幅は、その隣合うテープ１７・１７の取付間隔Ｋよりも広くなっており、その生地幅が広くなっている分だけ隣合うテープ１７ａとテープ１７ｂの間でカーテン生地が弛み出ることになる。
このため、その隣合う一方のテープ１７ａに挿通された昇降コード１２ａを操作し、そのテープ１７ａの取り付けられているカーテン生地の下縁部３８ａを、その隣合う他方のテープ１７ｂの取り付けられているカーテン生地の下縁部３８ｂよりも高くたくし上げるとき、その生地幅が広くなっていて弛み出ていたカーテン生地の弛み代が伸ばされることになる。このため、高くたくし上げられた一方の下縁部３８ａによって、その隣合っている他方の下縁部３８ｂが引き吊られることがなく、図２に示すように、カーペット生地１１の下縁がアーチ型に綺麗にたくし上げられることになる。
【００１４】
カーテン生地１１の下縁部がたくし上げられると、ストッパー１４の係止位置が移動した分だけ、昇降コード１２の下端部分３２が、ストッパー１４から引き出されて、カーテン生地１１の下縁から垂れ下がることになる。巻取具３７は、そのストッパー１４から引き出された昇降コード１２の下端部分３２がカーテン生地１１の下縁から食み出て垂れ下がらないように巻き取るものである。巻取具３７には、昇降コード１２の端末を挟み込んで係止する割れ目３９・４０と、巻き取った昇降コード１２の下端部分３２を挟み込んで係止する割れ目４１が付けられている。その巻き取った昇降コード１２の下端部分３２を差し込んで係止する割れ目４１は、フック４２の鈎溝として構成されており、その割れ目４１の溝幅（鈎溝の幅）は拡縮可能になっている。
【００１５】
図示するカーテン生地１１の下縁にはフリル１８が付けられており、各テープ１７の下側にはフリル１８を兼ねたポケット１５が付けられている。このポケット１５は、ストッパー１４から引き出された昇降コード１２の下端部分３２を収納するためのものであり、その下端部分３２をポケット１５に納めてカーテン生地の下縁から食み出て垂れ下がらないようにすることも出来る。巻取具３７やポケット１５の付設されていないカーテン生地では、カーテン生地をたくし上げて垂れ下がる昇降コードの下端部分３２を、コードガイド１３に引っ掛け、或いは、コードガイド１３の上側に続いている昇降コード１２の上側部分に絡み付けて、カーテン生地の下縁から食み出て垂れ下がらないようにすることも出来る。ストッパー１４は、カーテン生地に取り付けることなく、ただ昇降コード１２に係止させるだけでもよいが、カーテン生地１１の下縁部に縫い付けて固定することも出来、又、最下端のコードガイド１３と一体化してカーテン生地に取り付けることも出来る。
【００１６】
【発明の効果】
本発明によると、カーテン生地１１をたくし上げて開くために従来トップバーに装着されていた固定ガイド、ストッパー、回転ドラム等の昇降コードを操作する部材や装置が不要になる。このため、トップバーの構造がシンプルになり、従来トップバーに装着されていた固定ガイド、ストッパー、回転ドラム等が不要になった分だけローマンシエード型カーテンのコスト低減となる。そのように従来トップバーに装着されていた固定ガイド、ストッパー、回転ドラム等が不要になるので、それらの部材や装置に昇降コード１２を取り付ける必要もなくなり、昇降コード１２を介してカーテン生地１１がトップバー３３に繋がれると言うこともなくなるので、カーテン生地１１がトップバー３３から取り外し易くなり、随時洗濯することが出来るようになる。そして、昇降コード１２の長さが、従来トップバーに装着されていた固定ガイド、ストッパー、回転ドラム等に導いていた分だけ短くなり、その長さがカーテン生地１１の丈と同じ長さかそれよりも若干短くなるので、洗濯時にカーテン生地１１から長く食み出て垂れ下がることがなく、カーテン生地１１を丸洗いするとき昇降コード１２が邪魔になることもなくなる。かくしてカーテン生地１１が丸洗いし易く、随時洗濯してクリーンに保つことが出来るようになる。
【００１７】
本発明では、従来のトップバーに装着されていた固定ガイド、ストッパー、回転ドラム等の昇降コードを操作する部材や装置に代えて、ストッパー１４が各昇降コード１２に付設されるが、本発明に使用されるストッパー１４は、図３〜図５に図示する如く形状や構造がシンプルであり、従来のトップバーに装着されていた固定ガイド、ストッパー、回転ドラム等の昇降コードを操作する部材や装置に比して極めて安価に得られる。そのため、本発明の実施によってローマンシエード型カーテンがコスト高になることは全くない。
【図面の簡単な説明】
【図１】本発明に係るローマンシエード型カーテンの裏面図である。
【図２】本発明に係るローマンシエード型カーテンの裏面図である。
【図３】本発明に係るストッパーの正面図と断面図の対応図である。
【図４】本発明に係るストッパーの正面図と断面図の対応図である。
【図５】本発明に係るストッパーの正面図と断面図の対応図である。
【図６】本発明に係るストッパーと巻取具の正面図である。
【図７】本発明に係るストッパーと巻取具の正面図である。
【符号の説明】
１１　カーテン生地
１２　昇降コード
１３　コードガイド
１４　ストッパー
１５　ポケット
１６　カーテン生地の上縁部
１７　テープ
１８　フリル
１９　球形本体
２０　貫通孔
２１　円柱形摺動片
２２　バネ
２３　貫通孔
２４　クリップ片
２５　バネ
２６　溝
２７　挿通孔
２８　弾性板材
２９　長孔
３０　仕切り
３１　ガイド孔
３２　昇降コードの下端部分
３３　トップバー
３４　クリップ片の一端
３５　クリップ片の他端
３６　クリップ片の中間部
３７　巻取具
３８　カーテンの下縁部
３９　割れ目
４０　割れ目
４１　割れ目
４２　フック
【図１】
2004081517.tif 000003
【図２】
2004081517.tif 000004
【図３】
2004081517.tif 000005
【図４】
2004081517.tif 000006
【図５】
2004081517.tif 000007
【図６】
2004081517.tif 000008
【図７】
2004081517.tif 000009